【手続補正書】
【提出日】平成18年9月21日(2006.9.21)
【手続補正１】
【補正対象書類名】明細書
【補正対象項目名】発明の名称
【補正方法】変更
【補正の内容】
【発明の名称】ストレージシステム
【手続補正２】
【補正対象書類名】明細書
【補正対象項目名】特許請求の範囲
【補正方法】変更
【補正の内容】
【特許請求の範囲】
【請求項１】
記憶装置と、
前記記憶装置及び上位装置と接続される第一の制御部及び第二の制御部と、
第一の電源と、
第二の電源と、を備え、
第一の制御部は、キャッシュメモリである第一のメモリと、第二のメモリとを有し、
第二の制御部は、前記第一のメモリが受け取ったデータのコピーを受け取るキャッシュメモリである第三のメモリを有し、
前記第一の制御部が前記上位装置からデータを受信した場合に、前記第一の制御部は、前記第一のメモリ及び前記第二のメモリに前記データを各々格納して前記上位装置に応答を送信し、その後、前記第一の制御部は、前記第二のメモリに格納されたデータを前記第三のメモリに転送し、
前記第一の制御部の前記第一のメモリは前記第一の電源から電源供給を受け、
前記第一の制御部の前記第二のメモリ及び前記第二の制御部の前記第三のメモリは前記第二の電源から電源供給を受けることを特徴とするストレージシステム。
【請求項２】
記憶装置と、
前記記憶装置及び上位装置と接続される第一の制御部及び第二の制御部と、
第一の電源と、
第二の電源と、
第三の電源と、を備え、
第一の制御部は、キャッシュメモリである第一のメモリと、第二のメモリとを有し、
第二の制御部は、前記第一のメモリが受け取ったデータのコピーを受け取るキャッシュメモリである第三のメモリを有し、
前記第一の制御部が前記上位装置からデータを受信した場合に、前記第一の制御部は、前記第一のメモリ及び前記第二のメモリに前記データを各々格納して前記上位装置に応答を送信し、その後、前記第一の制御部は、前記第二のメモリに格納されたデータを前記第三のメモリに転送し、
前記第一の制御部の前記第一のメモリは前記第一の電源から電源供給を受け、
前記第一の制御部の前記第二のメモリは前記第二の電源から電源供給を受け、
前記第二の制御部の前記第三のメモリは前記第三の電源から電源供給を受けることを特徴とするストレージシステム。
【請求項３】
記憶装置と、
前記記憶装置及び上位装置と接続される第一の制御部及び第二の制御部と、
電源と、を備え、
第一の制御部は、キャッシュメモリである第一のメモリと、第二のメモリと、を有し、
第二の制御部は、前記第一のメモリが受け取ったデータのコピーを受け取るキャッシュメモリである第三のメモリを有し、
前記第一の制御部が前記上位装置からデータを受信した場合に、前記第一の制御部は、前記第一のメモリ及び前記第二のメモリに前記データを各々格納して前記上位装置に応答を送信し、その後、前記第一の制御部は、前記第二のメモリに格納されたデータを前記第三のメモリに転送し、
前記第一の制御部の前記第一のメモリ及び前記第一の制御部の前記第二のメモリは前記電源から電源供給を受け、
前記第一の制御部の前記第二のメモリは更に充電池を有し、前記第二のメモリは前記電源を用いて前記充電池を充電することを特徴とするストレージシステム。
【請求項４】
前記電源に障害が発生した場合、前記第二のメモリは、前記電源からの電源供給を前記充電池の電源供給に切り替えることを特徴とする請求項３記載のストレージシステム。
【請求項５】
前記第二のメモリはFIFOバッファであることを特徴とする請求項１記載のストレージシステム。
【請求項６】
前記記憶装置は複数あることを特徴とする請求項５記載のストレージシステム。
【請求項７】
前記第二のメモリは、当該第二のメモリに格納されているデータの有無を示すことを特徴とする請求項６記載のストレージシステム。
【請求項８】
上位装置と接続されるホストインターフェース部と、
前記ホストインターフェース部と接続されるスイッチ部と
前記スイッチ部と接続される第一の制御部及び第二の制御部と、
前記第一の制御部及び第二の制御部と接続される記憶装置と、を備え、
前記第一の制御部は、キャッシュメモリである第一のメモリと、第二のメモリとを有し、
前記第二の制御部は、前記第一のメモリが受け取ったデータのコピーを受け取るキャッシュメモリである第三のメモリを有し、
前記第一の制御部が前記上位装置からデータを受信した場合に、前記第一の制御部は、前記第一のメモリ及び前記第二のメモリに前記データを各々格納して前記上位装置に応答を送信し、
その後、前記第一の制御部は、前記第二のメモリに格納されたデータを前記第三のメモリに転送する
ことを特徴とするストレージシステム。
【請求項９】
ディスクドライブと、
上位装置から前記ディスクドライブへ書き込むデータを一時的に格納する第一のキャッシュメモリと、
前記ディスクドライブへ書き込むデータの複製を格納する第二のキャッシュメモリと、
前記第二のキャッシュメモリへ前記上位装置からの書き込みデータの複製を送るために当該データの複製を一時的に格納するFIFOバッファと、
前記第一のキャッシュメモリに接続する第一の電源と、
前記第一の電源と独立した、前記第二のキャッシュメモリに接続する第二の電源と、を備え、
前記第一のキャッシュメモリに前記上位装置からの書き込みデータを格納し、前記FIFOバッファに前記上位装置からの書き込みデータの複製が格納された時点において前記上位装置にデータの書き込みの完了の通知を行い、
前記FIFOバッファは前記第二の電源に接続することを特徴とするストレージシステム。
【請求項１０】
ディスクドライブと、
上位装置から前記ディスクドライブへ書き込むデータを一時的に格納する第一のキャッシュメモリと、
前記ディスクドライブへ書き込むデータの複製を格納する第二のキャッシュメモリと、
前記第二のキャッシュメモリへ前記上位装置からの書き込みデータの複製を送るために当該データの複製を一時的に格納するFIFOバッファと、
前記第一のキャッシュメモリに接続する第一の電源と、
前記第一の電源と独立した、前記第二のキャッシュメモリに接続する第二の電源と、
前記第一の電源と独立した、前記FIFOバッファに接続する第三の電源と、を備え、
前記第一のキャッシュメモリに前記上位装置からの書き込みデータを格納し、前記FIFOバッファに前記上位装置からの書き込みデータの複製が格納された時点において前記上位装置にデータの書き込みの完了の通知を行うことを特徴とするストレージシステム。
【請求項１１】
ディスクドライブと、
上位装置から前記ディスクドライブへ書き込むデータを一時的に格納する第一のキャッシュメモリと、
前記ディスクドライブへ書き込むデータの複製を格納する第二のキャッシュメモリと、
前記第二のキャッシュメモリへ前記上位装置からの書き込みデータの複製を送るために当該データの複製を一時的に格納するFIFOバッファと、
前記第一のキャッシュメモリに接続する第一の電源と、
前記第一の電源と独立した、前記第二のキャッシュメモリに接続する第二の電源と、を備え、
前記第一のキャッシュメモリに前記上位装置からの書き込みデータを格納し、前記FIFOバッファに前記上位装置からの書き込みデータの複製が格納された時点において前記上位装置にデータ書き込みの完了の通知を行い、
前記FIFOバッファが前記第一の電源に接続し、かつ前記第一の電源が障害を生じた時に前記FIFOバッファに前記第一の電源に代わって電力を供給するバッテリを備えること特徴とするストレージシステム。
【請求項１２】
前記FIFOバッファから前記第二のキャッシュメモリに前記上位装置からの書き込みデータの複製をすべて書き込んだかどうかを表示する残データ有無表示部を備えることを特徴とする請求項９記載のストレージシステム。